(57)【特許請求の範囲】
【請求項１】
背側の裏地の中央の左右身頃部の継ぎ合わせ部における該継ぎ合わせ部同士の縫い付けと、前記継ぎ合わせ部に対する中綿の縫い付けが、各々を重ねた状態での同時縫製により、背側の全高にわたり連続的に行われている
綿入れ袢纏。
【請求項２】
前記縫い付けの一部または全部をミシンにより行っている
請求項１の綿入れ袢纏。
【請求項３】
背側の裏地の中央の左右身頃部の継ぎ合わせ部における該継ぎ合わせ部同士の縫い付けと、前記継ぎ合わせ部に対する中綿の縫い付けを、各々を重ねた状態での同時縫製により、背側の全高にわたり連続的に行う工程を備える
綿入れ袢纏の製造方法。
【請求項４】
背側の裏地の中央の左右身頃部の継ぎ合わせ部における該継ぎ合わせ部同士の縫い付けと、前記継ぎ合わせ部に対する中綿の縫い付けを、各々を重ねた状態での同時縫製により、背側の全高にわたり連続的に行い、左右身頃部を開いて中綿に重ねる工程と、
左右身頃部の左右側端縁部に左右袖部の裏地を中綿と共に縫い付け、左右袖部を外側へ開いて中綿と重ねる工程と、
中綿と重ねた左右袖部の先端縁部に、袖口裏部を中綿と共に縫い付け、袖口裏部を外側へ開いて中綿と重ねる工程と、
左右身頃部の表地の継ぎ合わせ部同士を背側で縫い付けて開く工程と、
左右身頃部の表地の左右側端縁部に左右袖部の表地を縫い付け、左右袖部を外側へ開く工程と、
左右身頃部の表地に襟部を縫い付ける工程と、
襟部を縫い付けた左右身頃部の表地を、中綿に袖口裏部を縫い付けて開いた状態の裏地に重ねて、左右身頃部の前身頃部の裾側端縁部では身頃部同士を縫い付け、後ろ身頃部の裾側端縁部では身頃部同士と中綿を縫い付け、左右袖部の先端縁部と両袖口裏部の先端縁部を中綿と共に連続的に縫い付ける工程と、
裏地に表地を縫い付けた後、中綿において裏地に重なる部分以外で、かつ不要な部分を除去する工程と、
左右身頃部の表地の前部と袖部の前部と、左右身頃部の裏地の後ろ部と袖部の後ろ部および中綿を裏返しにして、表地と裏地の後ろ身頃の間に折り込む工程と、
左右袖部の下縁部で二層の中綿を二層の裏地と共に縫い付け、続いて二層の表地を縫い付け、さらに左右身頃部の表地の縁部で表地同士を縫い付け、続いて左右身頃部の裏地の縁部で二層の裏地同士と一層の中綿とを縫い付け、さらに基部が二層の裏地と共に縫い付けられた中綿の縁片を裾寄りの内側の裏地と表地の間に差し入れる工程と、
前記表地のオモテ面が外面となるようにして全体を裏返す工程と、
表地と裏地およびそれに挟まれた中綿を整える工程と、
表地と裏地および中綿を表地と裏地で中綿を包むようにして縫い付け、襟元を形成する工程とを備える
綿入れ袢纏の製造方法。
【請求項５】
背側の裏地の中央の左右身頃部の継ぎ合わせ部における該継ぎ合わせ部同士の縫い付けと、前記継ぎ合わせ部に対する中綿の縫い付けを、各々を重ねた状態での同時縫製により、背側の全高にわたり連続的に行い、左右身頃部を開いて中綿に重ねる工程と、
左右身頃部の左右側端縁部に肩口裏部を中綿と共に縫い付ける工程と、
左右身頃部の表地の継ぎ合わせ部同士を背側で縫い付けて開く工程と、
左右身頃部の表地に襟部を縫い付ける工程と、
襟部を縫い付けた左右身頃部の表地を、中綿に縫い付けて開いた状態の裏地に重ねて、左右身頃部の前身頃部の裾側端縁部では身頃部同士を縫い付け、後ろ身頃部の裾側端縁部では身頃部同士と中綿を縫い付け、肩口部では端縁部を中綿と共に縫い付ける工程と、
裏地に表地を縫い付けた後、中綿において裏地に重なる部分以外で、かつ不要な部分を除去する工程と、
左右身頃部の表地の前部と、左右身頃部の裏地の後ろ部および中綿を裏返しにして、表地と裏地の後ろ身頃の間に折り込む工程と、
両肩口で左右身頃部の表地の縁部で表地同士を縫い付け、続いて左右身頃部の裏地の縁部で二層の裏地同士と一層の中綿とを縫い付け、さらに基部が二層の裏地と共に縫い付けられた中綿の縁片を裾寄りの内側の裏地と表地の間に差し入れる工程と、
前記表地のオモテ面が外面となるようにして全体を裏返す工程と、
表地と裏地およびそれに挟まれた中綿を整える工程と、
表地と裏地および中綿を表地と裏地で中綿を包むようにして縫い付け、襟元を形成する工程とを備える
綿入れ袢纏の製造方法。
【請求項６】
前記縫い付けの一部または全部をミシンにより行う
請求項３、４または５の綿入れ袢纏の製造方法。
【発明の詳細な説明】
【技術分野】
【０００１】
本発明は、綿入れ袢纏およびその製造方法に関するものである。詳しくは、綿入れ袢纏の背側や袖口の裏地の外面に縫い目が表れないようにしながら、中綿と裏地の一体化を充分な強度で行うと共に、仕上げの手間を軽減し、これにより使用に伴う中綿のずれや偏りを防止することができる品質が安定した綿入り袢纏およびその製造方法に関する。
【背景技術】
【０００２】
綿入れ袢纏（袢纏は、半纏、袢天などと表記されることもある）は、表地と裏地を二重（袷：あわせ）にして、その間に中綿を入れたもので、寒い時期に手軽に羽織ることができる、主に室内用の防寒着として広く用いられている。
このような綿入れ袢纏は、細かいところに一部違いがある場合もあるが、おおむね、非特許文献１に開示されている方法で製造されている。
【０００３】
すなわち、（１）布を裁断して、綿入れができる状態まで、あらかじめ表地と裏地を縫い付けておき、（２）表地と裏地の間に中綿を入れる作業を、通常、二人の職人により行い、最後に、（３）表地と裏地の必要箇所を職人による手縫いで綴じることで、製造することができる。
【先行技術文献】
【非特許文献】
【０００４】
【非特許文献１】うなぎの寝床＞衣料品＞はんてん、[平成27年9月28日検索]、インターネット、<URL:http://shop.unagino-nedoko.net/?mode=cate&cbid=1407739&csid=6>
【発明の概要】
【発明が解決しようとする課題】
【０００５】
しかしながら、上記一般的な製造方法およびそれにより製造される綿入れ袢纏には、次のような課題があった。つまり、従来の製造方法では、表地と裏地をそれぞれ作製した後で、それらの間に中綿を入れる作業を行うので、綿入れ袢纏を製造する最後の工程で、背側や袖口の中綿がずれにくいように、中綿を裏地に止めるための作業が必要になる。
【０００６】
すなわち、背側で中綿を裏地に止める作業では、裏地の背側の中央を中綿と共に纏るように縫い付けるが、縫い目が裏地の外面（綿入れ袢纏の背側の内面）に表れてしまうため、縫い目が見苦しくならないように、例えば３ｃｍ間隔で纏るようにして、縫い目が目立たないようにしている。また、袖口の仕上げでは、中綿を裏地に止めてずれを防止する作業と、裏地と表地を手纏りで綴じる作業を行う必要があり、煩雑な手間がかかっていた。
【０００７】
このように、連続的な縫い付けでなく、中綿と裏地の一部を纏るだけの縫い付けでは、中綿と裏地を充分な強度で一体化することができず、綿入り袢纏の使用に伴い、中綿が裏地から外れて偏ってしまい、背側や袖部の中綿による厚さがムラになってしまうことがあった。特に、この裏地と中綿を纏る作業は、人の手による作業であるため、中綿の縫い付けが裏側（表地側）まで通っていない場合があるなど、どうしても作業が不安定になりやすく、品質が安定しにくい課題があった。
【０００８】
本発明は、以上の点を鑑みて創案されたものであり、綿入れ袢纏の背側や袖口の裏地の外面に縫い目が表れないようにしながら、中綿と裏地の一体化を充分な強度で行うと共に、仕上げの手間を軽減し、これにより使用に伴う中綿のずれや偏りを防止することができる品質が安定した綿入り袢纏およびその製造方法を提供することを目的とする。
【課題を解決するための手段】
【０００９】
（１）上記の目的を達成するために、本発明の綿入れ袢纏は、背側の裏地の中央の左右身頃部の継ぎ合わせ部における該継ぎ合わせ部同士の縫い付けと、前記継ぎ合わせ部に対する中綿の縫い付けが、各々を重ねた状態でのミシンによる同時縫製により、背側の全高にわたり連続的に行われている、という構成を有している。
【００１０】
綿入れ袢纏は、この構成により、左右身頃部の裏地を中央の継ぎ合わせ部で開いたときにも、縫い目が裏地の外部には表れない。しかも、二層の裏地と一層の中綿の縫い付けは、背側の全高にわたり連続的に行われているので、中綿と裏地の一体化を充分な強度で行うことができる。また、これにより綿入れ袢纏の使用に伴う背側の中綿のずれや偏りを防止することができ、品質が安定する。
【００１１】
（２）本発明の綿入れ袢纏は、前記縫い付けの一部または全部をミシンにより行っている構成であってもよい。
【００１２】
この場合は、手縫いに比べてより短い時間でより強い縫い付けが可能になり、特に全部または多くの部分の縫い付けをミシンで行うことで、縫い付け部がより強靱になると共に、綿入り袢纏の製造を大幅に効率化することが可能になる。
【００１３】
（３）上記の目的を達成するために、本発明の綿入れ袢纏の製造方法は、背側の裏地の中央の左右身頃部の継ぎ合わせ部における該継ぎ合わせ部同士の縫い付けと、前記継ぎ合わせ部に対する中綿の縫い付けを、各々を重ねた状態での同時縫製により、背側の全高にわたり連続的に行う工程を備える構成を有している。
【００１４】
この綿入れ袢纏の製造方法によれば、この工程を製造工程に入れることにより、綿入れ袢纏の出来上がりにおいて、左右身頃部の裏地を中央の継ぎ合わせ部で開いたときにも、縫い目が裏地の外部には表れず、しかも、二層の裏地と一層の中綿の縫い付けは、背側の全高にわたり連続的に行われているので、中綿と裏地の一体化を充分な強度で行うことができ、綿入れ袢纏の使用に伴う背側の中綿のずれや偏りを防止することができ、品質が安定する。
【００１５】
（４）本発明の袢纏の製造方法は、背側の裏地の中央の左右身頃部の継ぎ合わせ部における該継ぎ合わせ部同士の縫い付けと、前記継ぎ合わせ部に対する中綿の縫い付けを、各々を重ねた状態での同時縫製により、背側の全高にわたり連続的に行い、左右身頃部を開いて中綿に重ねる工程と、左右身頃部の左右側端縁部に左右袖部の裏地を中綿と共に縫い付け、左右袖部を外側へ開いて中綿と重ねる工程と、中綿と重ねた左右袖部の先端縁部に、袖口裏部を中綿と共に縫い付け、袖口裏部を外側へ開いて中綿と重ねる工程と、左右身頃部の表地の継ぎ合わせ部同士を背側で縫い付けて開く工程と、左右身頃部の表地の左右側端縁部に左右袖部の表地を縫い付け、左右袖部を外側へ開く工程と、左右身頃部の表地に襟部を縫い付ける工程と、襟部を縫い付けた左右身頃部の表地を、中綿に袖口裏部を縫い付けて開いた状態の裏地に重ねて、左右身頃部の前身頃部の裾側端縁部では身頃部同士を縫い付け、後ろ身頃部の裾側端縁部では身頃部同士と中綿を縫い付け、左右袖部の先端縁部と両袖口裏部の先端縁部を中綿と共に連続的に縫い付ける工程と、裏地に表地を縫い付けた後、中綿において裏地に重なる部分以外で、かつ不要な部分を除去する工程と、左右身頃部の表地の前部と袖部の前部と、左右身頃部の裏地の後ろ部と袖部の後ろ部および中綿を裏返しにして、表地と裏地の後ろ身頃の間に折り込む工程と、左右袖部の下縁部で二層の中綿を二層の裏地と共に縫い付け、続いて二層の表地を縫い付け、さらに左右身頃部の表地の縁部で表地同士を縫い付け、続いて左右身頃部の裏地の縁部で二層の裏地同士と一層の中綿とを縫い付け、さらに基部が二層の裏地と共に縫い付けられた中綿の縁片を裾寄りの内側の裏地と表地の間に差し入れる工程と、前記表地のオモテ面が外面となるようにして全体を裏返す工程と、表地と裏地およびそれに挟まれた中綿を整える工程と、表地と裏地および中綿を表地と裏地で中綿を包むようにして縫い付け、襟元を形成する工程とを備える構成であってもよい。
【００１６】
この袢纏の製造方法では、背側の裏地の中央の左右身頃部の継ぎ合わせ部における該継ぎ合わせ部同士の縫い付けと、前記継ぎ合わせ部に対する中綿の縫い付けを、各々を重ねた状態での同時縫製で行うので、出来上がった綿入れ袢纏は、左右身頃部の裏地を中央の継ぎ合わせ部で開いたときにも、縫い目が裏地の外部には表れず、しかも、二層の裏地と一層の中綿の縫い付けは、背側の全高にわたり連続的に行われているので、中綿と裏地の一体化を充分な強度で行うことができる。さらには袖口の縫い付けにおいても、左右袖部の先端縁部と両袖口裏部の先端縁部を中綿と共に連続的に縫い付けるので、同様に左右袖部の中綿と裏地の一体化を充分な強度で行うことができる。また、上記従来の製造方法で行っていた袖口の中綿を裏地に止めてずれを防止する作業と、裏地と表地を手纏りで綴じる作業を行う必要がなく、煩雑な手間を省くことができる。これにより、綿入れ袢纏の使用に伴う背側や袖口の中綿のずれや偏りを防止することができ、品質が安定する。
【００１７】
（５）本発明の袢纏の製造方法は、背側の裏地の中央の左右身頃部の継ぎ合わせ部における該継ぎ合わせ部同士の縫い付けと、前記継ぎ合わせ部に対する中綿の縫い付けを、各々を重ねた状態での同時縫製により、背側の全高にわたり連続的に行い、左右身頃部を開いて中綿に重ねる工程と、左右身頃部の左右側端縁部に肩口裏部を中綿と共に縫い付ける工程と、左右身頃部の表地の継ぎ合わせ部同士を背側で縫い付けて開く工程と、左右身頃部の表地に襟部を縫い付ける工程と、襟部を縫い付けた左右身頃部の表地を、中綿に縫い付けて開いた状態の裏地に重ねて、左右身頃部の前身頃部の裾側端縁部では身頃部同士を縫い付け、後ろ身頃部の裾側端縁部では身頃部同士と中綿を縫い付け、肩口部では端縁部を中綿と共に縫い付ける工程と、裏地に表地を縫い付けた後、中綿において裏地に重なる部分以外で、かつ不要な部分を除去する工程と、左右身頃部の表地の前部と、左右身頃部の裏地の後ろ部および中綿を裏返しにして、表地と裏地の後ろ身頃の間に折り込む工程と、両肩口で左右身頃部の表地の縁部で表地同士を縫い付け、続いて左右身頃部の裏地の縁部で二層の裏地同士と一層の中綿とを縫い付け、さらに基部が二層の裏地と共に縫い付けられた中綿の縁片を裾寄りの内側の裏地と表地の間に差し入れる工程と、前記表地のオモテ面が外面となるようにして全体を裏返す工程と、表地と裏地およびそれに挟まれた中綿を整える工程と、表地と裏地および中綿を表地と裏地で中綿を包むようにして縫い付け、襟元を形成する工程とを備える構成であってもよい。
【００１８】
この袢纏の製造方法では、上記（４）と同様に、背側の裏地の中央の左右身頃部の継ぎ合わせ部における該継ぎ合わせ部同士の縫い付けと、前記継ぎ合わせ部に対する中綿の縫い付けを、各々を重ねた状態での同時縫製で行うので、出来上がった綿入れ袢纏は、左右身頃部の裏地を中央の継ぎ合わせ部で開いたときにも、縫い目が裏地の外部には表れず、しかも、二層の裏地と一層の中綿の縫い付けは、背側の全高にわたり連続的に行われているので、中綿と裏地の一体化を充分な強度で行うことができる。また、これにより綿入れ袢纏の使用に伴う背側の中綿のずれや偏りを防止することができ、品質が安定する。
また、この場合は、左右身頃部に左右袖部を形成しないので、ちゃんちゃんこやポンチョともいわれる、袖なし綿入れ袢纏を製造することができる。
【００１９】
（６）本発明の袢纏の製造方法は、前記縫い付けの一部または全部をミシンにより行う構成であってもよい。
【００２０】
この場合は、手縫いに比べてより短い時間でより強い縫い付けが可能になり、特に全部または多くの部分の縫い付けをミシンで行うことで、縫い付け部がより強靱になると共に、綿入り袢纏の製造を大幅に効率化することが可能になる。
【００２１】
特許請求の範囲および本明細書にいう「オモテ面」は、綿入れ袢纏の出来上がりにおいて、表地または裏地の外面（外形に表れる面）となる側の面をいう。また、「ウラ面」は、綿入れ袢纏の出来上がりにおいて、内面（中綿と接する面）となる側の面をいう。
【発明の効果】
【００２２】
本発明は、綿入れ袢纏の背側や袖口の裏地の外面に縫い目が表れないようにしながら、中綿と裏地の一体化を充分な強度で行うと共に、仕上げの手間を軽減し、これにより使用に伴う中綿のずれや偏りを防止することができる品質が安定した綿入り袢纏およびその製造方法を提供することができる。
【図面の簡単な説明】
【００２３】
【図１】中綿の準備の工程を示す説明図である。
【図２】裏地の構成部品を示すオモテ面側から見た分解説明図である。
【図３】表地の構成部品を示すウラ面側から見た分解説明図である。
【図４】袢纏の製造工程において、準備をした中綿に裏地の左右身頃部を縫い付けて開き、左右身頃部の外端縁部に左右袖部の裏地を縫い付けて外側へ開く工程を示す説明図である。
【図５】左右袖部の裏地の先端縁部に、中綿と共に袖口裏部を縫い付けて外側へ開く工程を示す説明図である。
【図６】左右身頃部の表地を背側で縫い付けて開き、左右身頃部の外端縁部に左右袖部の表地を縫い付けて外側へ開く工程を示す説明図である。
【図７】左右身頃部の表地に襟部を縫い付ける工程を示す説明図である。
【図８】襟部を縫い付けた左右身頃部の表地を、前の工程で左右袖部の先端縁部に、中綿と共に袖口裏部を縫い付けて外側へ開いた状態の裏地に重ねる工程を示す説明図である。
【図９】襟部を縫い付けた左右身頃部の表地を、中綿と共に袖口裏部を縫い付けて外側へ開いた状態の裏地に重ねて、左右身頃部の前部の裾側端縁部では身頃部同士を縫い付け、後ろ身頃部の裾側端縁部では身頃部同士と中綿を縫い付け、左右袖部の先端縁部と両袖口裏部の先端縁部を中綿と共に縫い付ける工程を示す説明図である。
【図１０】裏地に表地を縫い付けた後、中綿の不要な部分を除去する工程を示す説明図である。
【図１１】表地の左右身頃部の前部と左右袖部の前側および裏地の左右身頃部の前部と左右袖部の前側を裏返しにして中綿と共に表地と裏地の後ろ身頃部の間に折り込む工程を示す説明図である。
【図１２】袖部の下縁部で二層の中綿を二層の裏地と共に縫い付け、続いて二層の表地を縫い付け、さらに左右身頃部の端縁部で表地同士を縫い付け、続いて二層の裏地同士と一層の中綿を縫い付け、さらに基部が二層の裏地と共に縫い付けられた中綿を裾寄りで内側の裏地と表地の間に差し入れる工程を示す説明図である。
【図１３】表地のオモテ面が外面となるように全体を裏返す工程を示す説明図である。
【図１４】全体を裏返して表地のオモテ面が外面となるようにし、表地と裏地およびそれに挟まれた中綿を整える工程を示す斜視図である。
【図１５】襟部で中綿の縁部を包むようにして裏地に縫い付け、襟部を形成した綿入れ袢纏の斜視図である。
【図１６】袖なし綿入れ袢纏の製造工程において、図５に示す工程に対応し、裏地の左右身頃部の左右先端縁部に、中綿と共に袖口裏部を縫い付ける工程を示す説明図である。
【図１７】袖なし綿入れ袢纏の製造工程において、図１１に示す工程に対応し、表地の左右身頃部の前部および裏地の左右身頃部の前部を裏返しにして中綿と共に表地と裏地の後ろ身頃部の間に折り込む工程を示す説明図である。
【図１８】袖なし綿入れ袢纏の斜視図である。
【発明を実施するための形態】
【００２４】
図１ないし図１５を参照して、本発明の実施の形態を更に詳細に説明する。
図１５に示す本発明に係る綿入れ袢纏Ａ１は、右身頃部１、左身頃部２、襟部３、および右袖部４、左袖部５により構成された、表地と裏地の袷（あわせ）であり、それらの間に中綿６（図１４など参照）が入れられている構造である。なお、以下の各工程における縫い付けは、本実施の形態ではミシン（縫製装置）を使用して行うが、これに限定するものではなく、手縫いで行うこともできる。
【００２５】
また、綿入れ袢纏Ａ１は、製造工程の一部を示している図４から分かる通り、後で説明する各工程を経た出来上がり時においても、背側（後ろ部または後ろ身頃側）の各身頃部の裏地１０、２０の後ろ部１０１、２０１外面に縫い目（縫い付け部）が表れないようにしながら、中綿６と後ろ部１０１、２０１が縫い付けられ、充分な強度を以て一体化が図られている。
【００２６】
すなわち、図４上図に示すように、裏地１０、２０の中央の継ぎ合わせ部１０２、２０２における継ぎ合わせ部１０２、２０２同士の縫い付けと、継ぎ合わせ部１０２、２０２に対する中綿６の縫い付けが、各々を重ねた状態での縫い付け部９００による同時縫製により、背側の全高にわたり連続的に行われている。なお、中綿６は、縫い付け部９００で裏地１０、２０の中央の継ぎ合わせ部１０２、２０２のみに縫い付けられ、各身頃部１、２の表地１０ａ、２０ａには縫い付けられていない。
【００２７】
（作用）
ここで綿入れ袢纏Ａ１の作用（または働き）を説明する。
綿入れ袢纏Ａ１は、この構成により、各身頃部の裏地１０、２０を中央の継ぎ合わせ部１０２、２０２を境に開いたときにも、縫い目である縫い付け部９００が裏地の外部（オモテ面）には表れない。しかも、裏地１０、２０の二層の後ろ部１０１、２０１と一層の中綿６の縫い付けは、背側（後ろ部側）の全高にわたり連続的に行われているので、中綿６と裏地１０、２０の一体化を充分な強度で行うことができる。また、これにより綿入れ袢纏Ａ１の使用に伴う背側の中綿６のずれや偏りを防止することができ、品質が安定する。
【００２８】
次に綿入れ袢纏Ａ１の製造方法を説明する。
（１）図１を参照する。
所要厚さのシート状の綿を長方形状に切断して、中綿６を作製する。中綿６のサイズは、綿入れ袢纏Ａ１のサイズなどによって適宜設定されるものである。そして、中綿６の縦方向の一端側（図４で下端側）は、全長にわたり所要の幅で折り曲げられ、折り合わせ部６０が形成されている。
【００２９】
（２）図２、図３を参照する。
ここで、綿入れ袢纏Ａ１を構成する各部品と、その名称を説明する。
図２に示すものは、裏地（全体符号は省略）で、右身頃部の裏地１０、左身頃部の裏地２０、右袖部の裏地４０、左袖部の裏地５０、右袖口裏部４１および左袖口裏部５１により構成されている。図２の各部品で見えているのは、裏地のオモテ面である。また、右身頃部の裏地１０は、前部１００と後ろ部１０１を有しており、左身頃部の裏地２０は、前部２００と後ろ部２０１を有している。なお、各身頃部の裏地１０、２０と各袖部の裏地４０、５０に表している一点鎖線（符号省略）は、前部と後ろ部の境界を便宜上表したものである。
【００３０】
また、図３に示すものは、表地（全体符号は省略）で、右身頃部の表地１０ａ、左身頃部の表地２０ａ、右袖部の表地４０ａ、左袖部の表地５０ａ、襟部３で構成されている。図３の各部品で見えているのは、表地のウラ面である。また、右身頃部の表地１０ａは、前部１００ａと後ろ部１０１ａを有しており、左身頃部の表地２０ａは、前部２００ａと後ろ部２０１ａを有している。なお、各身頃部の表地１０ａ、２０ａと各袖部の表地４０ａ、５０ａに表している一点鎖線（符号省略）は、前部と後ろ部の境界を便宜上表したものである。
【００３１】
（３）図４上図を参照する。
右身頃部の裏地１０と左身頃部の裏地２０を、図４に示すように、オモテ面同士が接するように、かつちょうど重なるように合わせ、後ろ部１０１、２０１の裾側の先端縁が中綿６の折り合わせ部６０に一部重なるようにし、かつ後ろ部１０１、２０１の短辺縁側（図４で右側縁側）が、中綿６の横方向の中心線（符号省略）に一部重なるように縫い代を設けて、中綿６の折り合わせ部６０の折り曲げ方向とは反対側の面に右身頃部の裏地１０のウラ面が接するようにして載置する。このとき、各身頃部の裏地１０、２０の前部１００、２００の先端側は、中綿６の縦方向の端縁からややはみ出ている。
【００３２】
そして、各身頃部の裏地１０、２０の継ぎ合わせ部１０２、２０２を、中綿６と共に縫い付け部９００によって縫い付ける。すなわち、背側の裏地１０、２０の中央の各身頃部１、２の継ぎ合わせ部１０２、２０２における継ぎ合わせ部１０２、２０２同士の縫い付けと、継ぎ合わせ部１０２、２０２に対する中綿６の縫い付けを、各々を重ねた状態で縫い付け部９００によって同時縫製することにより、背側の全高にわたり連続的に縫い付けを行う。その後、縫い付け部９００の位置を折り目として、左身頃部２を外側に開き、中綿６に合わせる。
【００３３】
この工程を経ることにより、綿入れ袢纏の出来上がりにおいては、各身頃部の裏地１０、２０を中央の継ぎ合わせ部１０２、２０２を境に開いたときにも、縫い目である縫い付け部９００が裏地の外部（オモテ面）には表れない。しかも、裏地１０、２０の二層の後ろ部１０１、２０１と一層の中綿６の縫い付けは、背側の全高にわたり連続的に行われているので、中綿６と裏地１０、２０の一体化を充分な強度で行うことができる。また、これにより綿入れ袢纏の使用に伴う背側の中綿６のずれや偏りを防止することができ、品質が安定する。
【００３４】
（４）図４下図を参照する。
右身頃部の裏地１０の右袖部の裏地４０をオモテ面同士が接するように重ね、裏地４０の基端縁が裏地１０の外端縁部に合わさるようにし、右袖部の裏地４０の基端縁寄りで基端縁と平行に縫い付け部９０１によって裏地１０および中綿６と共に縫い付ける。また、同様に左身頃部の裏地２０に左袖部の裏地５０を重ね、裏地５０の基端縁が裏地２０の外端縁部に合わさるようにし、左袖部の裏地５０の基端縁寄りで基端縁と平行に縫い付け部９０２によって裏地２０および中綿６と共に縫い付ける。その後、縫い付け部９０１、９０２の位置を折り目として、各袖部の裏地４０、５０を外側に開き、ウラ面を中綿６に合わせる。
【００３５】
（５）図５を参照する。
右袖部の裏地４０に右袖口裏部４１をオモテ面同士が接するように重ね、右袖口裏部４１の基端縁が裏地４０の先端縁に合わさるようにし、右袖口裏部４１の基端縁寄りで基端縁と平行に縫い付け部９０３によって裏地４０および中綿６と共に縫い付ける。また、同様に左袖部の裏地５０に左袖口裏部５１を重ね、左袖口裏部５１の基端縁が裏地５０の先端縁に合わさるようにし、左袖口裏部５１の基端縁寄りで基端縁と平行に縫い付け部９０４によって裏地５０および中綿６と共に縫い付ける。その後、縫い付け部９０３、９０４の位置を折り目として各袖口裏部４１、５１を外側に開き、ウラ面を中綿６に合わせる。
【００３６】
（６）図６上図を参照する。
一方、右身頃部の表地１０ａと左身頃部の表地２０ａを、図６に示すように、ウラ面同士が接するように、かつちょうど重なるように合わせ、後ろ部１０１ａ、２０１ａの短辺縁側（図６で右下側縁部）の継ぎ合わせ部１０２ａ、２０２ａ同士を縫い付け部９０５によって短辺縁と平行に、かつ背側（後ろ部）の全高にわたり連続的に縫い付ける。その後、縫い付け部９０５の位置を折り目として、左身頃部２ａを外側に開く。
【００３７】
（７）図６下図を参照する。
右身頃部の表地１０ａに右袖部の表地４０ａをウラ面同士が接するように重ね、表地４０ａの基端縁が表地１０ａの外端縁部に合わさるようにし、右袖部の表地４０ａの基端縁寄りで基端縁と平行に縫い付け部９０６によって表地１０ａに縫い付ける。また、同様に左身頃部の表地２０ａに左袖部の表地５０ａを重ね、表地５０ａの基端縁が表地２０ａの長辺縁に合わさるようにし、左袖部の表地５０ａの基端縁寄りで基端縁と平行に、縫い付け部９０７によって表地２０ａに縫い付ける。その後、縫い付け部９０６、９０７の位置を折り目として、各袖部の表地４０ａ、５０ａを外側に開く。
【００３８】
（８）図７を参照する。
襟部３を、右身頃部の表地１０ａと左身頃部の表地２０ａの各前部１００ａ、２００ａの内側縁部（符号省略）に沿わせるようにして縫い付け部９０８によって縫い付ける（図７下図参照）。このとき、表地１０ａと表地２０ａのウラ面と襟部３のウラ面が同じ側の面となるようにする。また、襟部３には、オモテ面側に結び紐９１、９２が縫い付けられている。
【００３９】
（９）図８、図９を参照する。
図７を参照し説明した表地１０ａと表地２０ａおよび各袖部の表地４０ａ、５０ａに襟部３を一体化した表地（全体）を、上記図５を参照して説明した中綿６に縫い付けている右身頃部の裏地１０と左身頃部の裏地２０、各袖部の裏地４０、５０および各袖口裏部４１、５１を一体化した裏地（全体）にオモテ面同士が接するように重ねる。なお、右身頃部の表地１０ａと左身頃部の表地２０ａの全体の縦横の長さは、中綿６の綴じ込み代をみて、右身頃部の裏地１０と左身頃部の裏地２０の縦横の長さよりやや長くなるように形成されている。
【００４０】
そして、右身頃部の表地１０ａと左身頃部の表地２０ａの各前部１００ａ、２００ａの裾側先端縁部では表地と裏地の身頃部同士の縁部を合わせて縫い付け部９１０、９１１によって縫い付ける。また、各後ろ部１０１ａ、２０１ａの裾側先端縁部では表地と裏地の身頃部同士を重ね、中綿６と共に縫い付け部９１２によって縫い付ける。このとき、右身頃部の表地１０ａと左身頃部の表地２０ａの縦方向の余剰部分を裾側端部で折り込むようにする（図９参照）。
【００４１】
さらに、左右袖部の表地４０ａ、５０ａの先端縁部と、左右袖部の裏地４０、５０の袖口裏部４１、５１の先端縁部を合わせて中綿６と共に縫い付け部９１３、９１４によって連続的に縫い付ける。この工程を経ることによって、左右袖部４、５の中綿６と裏地（袖口裏部４１、５１）の一体化を充分な強度で行うことができる。また、後の仕上げにおいて、上記従来の製造方法で行っていた袖口の中綿を裏地に止めてずれを防止する作業と、裏地と表地を手纏りで綴じる作業を行う必要がなく、煩雑な手間を省くことができる。これにより綿入れ袢纏の使用に伴う袖口の中綿６のずれや偏りを防止することができ、品質が安定する。
【００４２】
（１０）図１０を参照する。
上記したように、裏地（全体）に表地（全体）を縫い付けた後、中綿６において裏地に重なる部分以外で、かつ不要な部分を除去する。すなわち、右袖部の裏地４０と表地４０ａの先端縁部より外側の縁片６５、左袖部の裏地５０と表地５０ａの先端縁部より外側の縁片６６を残し、さらに表地１０ａ、裏地１０より外側の四角形状の縁片６７と表地２０ａ、裏地２０の外側の四角形状の縁片６８を残し、各袖部の表地４０ａ、裏地４０および表地５０ａ、裏地５０に隣接する四ケ所のほぼ三角形状の不要片６１、６２、６３、６４を切除する。
【００４３】
（１１）図１１を参照する。
次に、右身頃部の表地１０ａ、左身頃部の表地２０ａの各前部１００ａ、２００ａと、右身頃部の裏地１０、左身頃部の裏地２０の各前部１００、２００および中綿６の残した部分（符号省略）を、各前部１００ａ、２００ａと、右身頃部の裏地１０、左身頃部の裏地２０の各前部１００、２００および中綿６とが向かい合い当接するように裏返しにして、表地１０ａ、２０ａの後ろ部１０１ａ、２０１ａと裏地１０、２０の後ろ部１０１、２０１の間に折り込む（図１１下図参照）。
次に、右身頃部の表地１０ａと左身頃部の表地２０ａの各前部１００ａ、２００ａおよび 各袖部の表地４０ａ、５０ａの前側と、右身頃部の裏地１０と左身頃部の裏地２０の各前部１００、２００、各袖部の裏地４０、５０の前部側と中綿６の残した部分（符号省略）を、各前部１００ａ、２００ａと、右身頃部の裏地１０と左身頃部の裏地２０の各前部１００、２００と中綿６が向かい合い当接するように裏返しにして、表地１０ａ、２０ａの後ろ部１０１ａ、２０１ａと裏地１０、２０の後ろ部１０１、２０１の間に折り込む（図１１下図参照）。
【００４４】
（１２）図１２、図１３を参照する。
図１１下図に示すように折り込んだ状態で、まず二層の中綿６をその間に挟まれた各袖部のそれぞれ二層の裏地４０と裏地５０を前部側と後ろ部側の下縁部で縫い付け部９１５によって縫い付け、続いて各袖部の表地４０ａ、５０ａのそれぞれの前部側と後ろ部側の下縁部で縫い付け部９１６によって縫い付け、続いて各見頃部の表地１０ａ、２０ａのそれぞれ二層の後ろ部１０１ａ、２０１ａの縁部同士を縫い付け部９１７によって縫い付け、さらに各見頃部の裏地１０、２０のそれぞれ二層の後ろ部１０１、２０１の縁部同士と中綿６を縫い付け部９１８によって縫い付ける（図１２参照）。
【００４５】
さらに、中綿６の縁片６７、６８を、矢印で示すように折り曲げて、裾寄りで内側の各見頃部の裏地１０、２０の前部１００、２００と表地１０ａ、２０ａの前部１００ａ、２００ａの間に奥まで差し入れる（図１３参照）。なお、図１２、図１３では、図示の便宜上、左袖部５側のみを表しており、右袖部４側の図示は省略している。
【００４６】
（１３）図１３、図１４を参照する。
そして、図１３に示す状態から、各見頃部の表地１０ａ、２０ａおよび各袖部の表地４０ａ、５０ａのオモテ面が外面となるように（外側に出るように）、全体を裏返し、表地（全体）と裏地（全体）及び中綿６を袢纏の形に整える。これにより、各表地１０ａ、２０ａ、４０ａ、５０ａと、各裏地１０、２０、４０、５０の間に、中綿６の残した部分を、襟部３の周りを除き、閉じ込んだ形態となる（図１４参照）。
【００４７】
（１４）図１４、図１５を参照する。
図１４に示す状態から、中綿６（中綿の縁辺６７、６８を含む）の前見頃側の内縁部を襟部３で正面側から裏側へ包むようにして裏地１０、２０に中綿６と共に縫い付け、襟元（符号省略）を形成する。これにより、図１５に示すように、右身頃部１、左身頃部２、襟部３および右袖部４、左袖部５により構成された、表地と裏地の袷（あわせ）であり、それらの間に中綿６が入れられている構造の綿入れ袢纏Ａ１を形成することができる。
【００４８】
次に袖なし綿入れ袢纏Ａ２の製造方法について説明する。
図１５〜図１８を参照する。
綿入れ袢纏のバリエーションのひとつである袖なし綿入れ袢纏Ａ２は、一般にはちゃんちゃんこ、またはポンチョともいう。なお、袖なし綿入れ袢纏Ａ２の製造方法は、上記綿入れ袢纏Ａ１の製造方法と実質的に同じ工程を多く含むので、その共通する工程については、構造的特徴（左右袖部が設けられないこと）を読み替えることで綿入れ袢纏Ａ１の製造方法の説明を援用し、重複する説明は関連する図と共に一部省略する。
【００４９】
図１６を参照する。
また、これまでの工程は、上記綿入れ袢纏Ａ１の（１）〜（８）と同様の工程（袖部の裏地４０、表地４０ａおよび袖部の裏地５０、表地５０ａの縫い付けなど、袖部に関する作業は除外）を行い、図１６上図に示す形態のものをつくる。
【００５０】
なお、袖なし綿入れ袢纏Ａ２は、袖部を形成しないため、左右見頃部の裏地１０ｂ、２０ｂの外側縁部に内側にやや食い込むように肩口（符号省略）を形成し、その外縁部に沿うように肩口裏部１１、２１を縫い付け部９１９、９２０によって縫い付ける。そして、中綿６の不要な部分である不要片６１ｂ、６２ｂを切除し、縁片６５ｂ、６６ｂおよび縁片６７ｂ、６８ｂを残すようにする。なお、裏地１０ｂは前部１００ｂと後ろ部１０１ｂを有しており、裏地２０ｂは、前部２００ｂと後ろ部２０１ｂを有している。
【００５１】
図１７を参照する。
次に、左右見頃部の裏地１０ｂ、２０ｂに合わせるように、左右見頃部の表地１０ｃ、２０ｃをオモテ面同士が接するように重ねる。左右見頃部の裏地１０ｃ、２０ｃの形状は、肩口の形状が裏地１０ｂ、２０ｂの形状に対応するように形成されている。なお、表地１０ｃは、前部１００ｃと後ろ部１０１ｃを有しており、表地２０ｃは、前部２００ｃと後ろ部２０１ｃを有している。表地１０ｃ、２０ｃの裾側の縁部を上記綿入れ袢纏Ａ１の表地１０ａ、２０ａと同様に縫い付けた後、裏地１０ｃ、２０ｃの肩口（符号省略）の縁部を縫い付け部９２１、９２２によって裏地１０ｂ、２０ｂおよび中綿６と共に縫い付ける（図１７上図参照）。
【００５２】
次に、右身頃部の表地１０ｃ、左身頃部の表地２０ｃの各前部１００ｃ、２００ｃと、右身頃部の裏地１０ｂ、左身頃部の裏地２０ｂの各前部１００ｂ、２００ｂおよび中綿６の残した部分（符号省略）を、各前部１００ｃ、２００ｃと、右身頃部の裏地１０ｂ、左身頃部の裏地２０ｂの各前部１００ｂ、２００ｂおよび中綿６とが向かい合い当接するように裏返しにして、表地１０ｃ、２０ｃの後ろ部１０１ｃ、２０１ｃと裏地１０ｂ、２０ｂの後ろ部１０１ｂ、２０１ｂの間に折り込む（図１７下図参照）。
【００５３】
図１８を参照する。
その後、上記綿入れ袢纏Ａ１の（１２）〜（１４）の工程と同様の工程（袖部の裏地４０、表地４０ａおよび袖部の裏地５０、表地５０ａの縫い付けなど、袖部に関する作業は除外）を経ることにより、右身頃部１、左身頃部２、および襟部３により構成された、表地と裏地の袷（あわせ）であり、それらの間に中綿６が入れられている構造の袖なし綿入れ袢纏Ａ２をつくることができる。
【００５４】
本明細書及び特許請求の範囲で使用している用語と表現は、あくまでも説明上のものであって、なんら限定的なものではなく、本明細書及び特許請求の範囲に記述された特徴およびその一部と等価の用語や表現を除外する意図はない。また、本発明の技術思想の範囲内で、種々の変形態様が可能であるということは言うまでもない。
【符号の説明】
【００５５】
Ａ１  綿入れ袢纏
１  右身頃部
２  左身頃部
１０  右身頃部の裏地
２０  左身頃部の裏地
１００、２００  前部
１０１、２０１  後ろ部
１０２、２０２  継ぎ合わせ部
３  襟部
４  右袖部
５  左袖部
４０  右袖部の裏地
５０  左袖部の裏地
４１  右袖口裏部
５１  左袖口裏部
６  中綿
６０  折り合わせ部
６１、６２、６３、６４  不要片
６５、６６、６７、６８  縁片
１０ａ  右身頃部の表地
２０ａ  左身頃部の表地
１００ａ、２００ａ  前部
１０１ａ、２０１ａ  後ろ部
１０２ａ、２０２ａ  継ぎ合わせ部
４０ａ  右袖部の表地
５０ａ  左袖部の表地
９１、９２  結び紐
９００〜９２２  縫い付け部
Ａ２  袖なし綿入れ袢纏
１０ｂ、２０ｂ  左右見頃部の裏地
１００ｂ、２００ｂ  前部
１０１ｂ、２０１ｂ  後ろ部
１０ｃ、２０ｃ  左右見頃部の表地
１００ｃ、２００ｃ  前部
１０１ｃ、２０１ｃ  後ろ部
１１、２１  肩口裏部
６１ｂ、６２ｂ  不要片
６５ｂ、６６ｂ  縁片
６７ｂ、６８ｂ  縁片
【要約】
【課題】綿入れ袢纏の背側の裏地の外面に縫い目が表れないようにしながら、中綿と裏地の一体化を充分な強度で行うことで、使用に伴う中綿のずれや偏りを防止して、品質が安定した綿入り袢纏を提供する。
【解決手段】綿入れ袢纏は、左身頃部、右身頃部、左袖部、右袖部および襟部を有し、背側の裏地１０、２０の中央の左右身頃部の継ぎ合わせ部１０２、２０２における継ぎ合わせ部１０２、２０２同士の縫い付けと、継ぎ合わせ部１０２、２０２に対する中綿６の縫い付けが、各々を重ねた状態でのミシンによる同時縫製により、背側の全高にわたり連続的に行われている。
【選択図】図４【図１】
0006032718.tif 000002
【図２】
0006032718.tif 000003
【図３】
0006032718.tif 000004
【図４】
0006032718.tif 000005
【図５】
0006032718.tif 000006
【図６】
0006032718.tif 000007
【図７】
0006032718.tif 000008
【図８】
0006032718.tif 000009
【図９】
0006032718.tif 000010
【図１０】
0006032718.tif 000011
【図１１】
0006032718.tif 000012
【図１２】
0006032718.tif 000013
【図１３】
0006032718.tif 000014
【図１４】
0006032718.tif 000015
【図１５】
0006032718.tif 000016
【図１６】
0006032718.tif 000017
【図１７】
0006032718.tif 000018
【図１８】
0006032718.tif 000019